(57)【要約】  創薬手順のための標的として試験するのに適した、標的タンパク質フォールディング中間体を特定するための方法を記載する。前記方法は、電子計算によって実行される。  本方法は、タンパク質のフォールディング経路を規定するイベントの時の配列をモデル化する工程を提供し、前記フォールディング経路に沿った１つまたは複数のタンパク質フォールディング中間状態の構造的特定および／またはエネルギー特性および／または物理化学的特性をモデル化および／または計算することを含む。  次に、前記方法は、特定特性に基づき、モデル化されたフォールディング経路に沿って少なくとも１つの候補タンパク質フォールディング中間体を特定し、および選択特性に基づき、前記少なくとも１つの候補タンパク質フォールディング中間体の中から１つまたは複数の標的タンパク質フォールディング中間体を選択する工程を含む。前記選択特性は、タンパク質フォールディング中間体の創薬可能性に関連する。  本開示はまた、フォールディング中間体の標的化に基づくインシリコ創薬のための関連方法を含む。【選択図】  図１
2021531607.tif 000002
【特許請求の範囲】
【請求項１】
創薬手順のための標的として試験するのに適した標的タンパク質フォールディング中間体を特定する方法であって、電子計算によって実行される以下の工程：
−  タンパク質のフォールディング経路を規定するイベントの時の配列をモデル化する工程であって、前記フォールディング経路に沿った１つまたは複数のタンパク質フォールディング中間状態の構造的特性および／またはエネルギー特性および／または物理化学的特性をモデル化および／または計算することを含む工程；
−  前記構造的特性およびエネルギー特性および／または物理化学的特性の中の特定特性に基づき、モデル化されたフォールディング経路に沿って、少なくとも１つの候補タンパク質フォールディング中間体を特定する工程；
−  前記構造的特性およびエネルギー特性および／または物理化学的特性の中の選択特性に基づき、前記少なくとも１つの候補タンパク質フォールディング中間体の中から１つまたは複数の標的タンパク質フォールディング中間体を選択する工程
を含み、
前記選択特性がタンパク質フォールディング中間体の創薬可能性に関連する、方法。
【請求項２】
前記特定特性が、前記タンパク質フォールディング中間体のエネルギー的および／または物理化学的特性を含む、請求項１に記載の方法。
【請求項３】
前記選択特性が、
−  検討される候補タンパク質フォールディング中間体の創薬可能性に関連する構造特性、および／または
−  タンパク質のホットスポット特定のためのスコアリングパラメータ
を含む、請求項１または２に記載の方法。
【請求項４】
選択する工程が、ネイティブ状態で存在しない選択特性を有する中間体を標的タンパク質フォールディング中間体として選択することを更に含む、請求項１〜３のいずれか一項に記載の方法。
【請求項５】
選択する工程が、ネイティブ状態で存在しない創薬可能なポケットを有する中間体を、またはネイティブ状態で存在するポケットからの二乗平均偏差の閾値よりも大きい二乗平均偏差を特徴とする創薬可能ポケットを有する中間体を、標的タンパク質フォールディング中間体として選択することを更に含む、請求項４に記載の方法。
【請求項６】
前記特定特性が、前記タンパク質の中間状態と天然状態との間の、または中間状態と天然状態に向かう次の中間体との間の、自由エネルギー障壁を含み、
候補タンパク質フォールディング中間体として中間体を特定する工程が、前記中間体と天然状態または天然状態に向かう次の中間体との間の自由エネルギー障壁が自由エネルギー閾値よりも大きいことを特徴とする、前記請求項のいずれか一項に記載の方法。
【請求項７】
−  中間体からネイティブ状態への移行の速度の逆数または前記フォールディング経路に沿った次の中間体への移行の速度の逆数として規定される中間体の寿命を推定することを更に含み、
ここで、特定する工程が、最小寿命閾値よりも長い寿命を有する中間体を候補タンパク質フォールディング中間体として特定することを含む、前記請求項のいずれか一項に記載の方法。
【請求項８】
少なくとも１つの候補タンパク質フォールディング中間体を特定する工程が、準安定状態を特定することを含む、前記請求項のいずれか一項に記載の方法。
【請求項９】
前記選択特性が、検討される候補タンパク質フォールディング中間体における創薬可能なポケットの存在を含み、前記創薬可能なポケットがポケットパラメータに関して規定され、および
選択する工程が、前記ポケットパラメータとそれぞれの閾値との比較に基づき、特定された候補タンパク質フォールディング中間体の中から１つまたは複数の標的タンパク質フォールディング中間体を選択することを含む、前記請求項のいずれか一項に記載の方法。
【請求項１０】
前記ポケットパラメータが、寸法パラメータおよび／または形状パラメータおよび／または位置パラメータおよび／または疎水性特性に対する対親水性特性の比を含む、請求項９に記載の方法。
【請求項１１】
前記ポケット寸法パラメータが、ポケットの体積および／またはポケットの深さ、および／またはポケットの封入および／または露出を含む、請求項１０に記載の方法。
【請求項１２】
前記スコアリングパラメータが、「サイトスコア」および／または「Ｄスコア」および／または「ドラッグスコア」および／またはポケットバランスを含む、請求項３〜１１のいずれか一項に記載の方法。
【請求項１３】
−  前記自由エネルギーの閾値が７．５ｋＪ／ｍｏｌである；および／または
−  前記中間体の寿命の閾値が生理学的条件でのタンパク質半減期の少なくとも３倍である；および／または
−  前記二乗平均偏差の閾値が２Åと等しい、または２Åを超える；および／または
−  前記ポケット体積の閾値が少なくとも３５０Å３である；および／または
−  前記ポケットの深さの閾値が少なくとも１３Åである；および／または
−  前記ポケット露出が≦０．４９である；および／または
−  前記ポケット封入が≧０．７８である；および／または
−  前記ポケットのサイトスコア閾値が≧０．８である；および／または
−  前記ポケットのＤスコア閾値が≧０．９８である；および／または
−  前記ポケットのドラッグスコア閾値が≧０．５であり、
−  前記ポケットバランスが≧１である、
請求項５または６または７または１１または１２に記載の方法。
【請求項１４】
タンパク質フォールディング経路の時間エボリューションをモデル化する工程が、分子力学（ＭＭ）または量子力学分子力学（ＱＭ−ＭＭ）アプローチに基づく計算的シミュレーションによって実施される、前記請求項のいずれか一項に記載の方法。
【請求項１５】
タンパク質フォールディング経路の時間エボリューションをモデル化する工程が、ラチェットおよびパウル分子動力学に基づく計算的シミュレーションによって、および／またはバイアス関数計算的アプローチによって、および／または・コンシステント・パス・サンプリング計算的アプローチによって実施される、請求項１４に記載の方法。
【請求項１６】
タンパク質フォールディング経路の時の配列をモデル化する工程が、タンパク質フォールディング経路の再構築またはフォールディング中間体の特定をもたらす任意のインシリコアプローチまたは実験的アプローチによって実施される、請求項１〜１３のいずれか一項に記載の方法。
【請求項１７】
フォールディング中間体標的化に基づくインシリコ創薬のための方法であって、
−  請求項１〜１５のいずれか一項に従い、インシリコ創薬手順のための標的として試験するのに適した標的タンパク質フォールディング中間体を特定する方法を実施すること；
−  選択した標的タンパク質フォールディング中間体にてインシリコ創薬を実施すること、を含む方法。
【請求項１８】
創薬可能なポケットまたはホットスポットが特定されている、選択された各標的タンパク質フォールディング中間体に対してインシリコ創薬を実施する工程が、
−  前記標的タンパク質フォールディング中間体で特定された１つまたは複数の創薬可能ポケットおよび／またはホットスポットの特性に基づいて、潜在的なリガンドを特定する工程であって、前記１つまたは複数の創薬可能ポケットおよび／またはホットスポットが可能な結合部位と見なされる、工程；
−  インシリコシミュレーションを通じて、特定されたリガンドのそれぞれと特定された結合部位のそれぞれとの相互作用をモデル化する工程；
−  前記モデル化に基づいてリガンドを選択する工程を含む、請求項１７に記載の方法。
【請求項１９】
コンピュータによって実行されると、コンピュータに、請求項１〜１６のいずれか一項に記載の標的タンパク質フォールディング中間体を特定するための方法を実行させる少なくとも１つのプログラム指示を含む、コンピュータプログラム。
【請求項２０】
コンピュータによって実行されると、コンピュータに、請求項１７または１８に記載のインシリコ創薬のための方法を実行させる少なくとも１つのプログラム指示を含む、コンピュータプログラム。
【請求項２１】
請求項１９または２０に記載のコンピュータプログラムを実行するキャリア。
【発明の詳細な説明】
【技術分野】
【０００１】
創薬手順のための標的として試験するのに適した標的タンパク質のフォールディング中間体を特定する方法を本明細書で説明する。本方法は電子計算によって実行される。
【背景技術】
【０００２】
タンパク質がどのようにフォールディングするのか、なぜそのようにフォールディングされるのか、そして各タンパク質のフォールディング経路がその配列と構造にどのようにコードされるのかという問題は、タンパク質の構造と設計、フォールディングとミスフォールディング、調節と機能、臨床上の問題、および産業上の利用にとって根本的であり、重要である。
【０００３】
Ｂ．Ｎｏｌｔｉｎｇ１９９９（Ｐｒｏｔｅｉｎ  Ｆｏｌｄｉｎｇ  Ｋｉｎｅｔｉｃｓ：Ｂｉｏｐｈｙｓｉｃａｌ  Ｍｅｔｈｏｄｓ，Ｓｐｒｉｎｇｅｒ，Ｂｅｒｌｉｎ）；Ｗ．Ａ．Ｅａｔｏｎ等、２０００（Ａｎｎｕ．Ｒｅｖ．Ｂｉｏｐｈｙｓ．Ｂｉｏｍｏｌ．Ｓｔｒｕｃｔ．２９，３２７）；Ｖ．ＤａｇｇｅｔｔおよびＡ．Ｆｅｒｓｈｔ２００３（Ｎａｔ．Ｒｅｖ．Ｍｏｌ．Ｃｅｌｌ  Ｂｉｏｌ．４，４９７）は、タンパク質フォールディングの動力学を理解するための試みを記載している。取り組むべき新規な治療上の標的を特定する必要性は、長い間未解決であった必要性である。
【０００４】
本明細書では、タンパク質のフォールディング過程に関連する経路の特定を可能にする新規な計算的アプローチが、創薬可能な標的タンパク質フォールディング中間体の特定に有用であることを初めて実証し、これまで取り組まれてこなかった薬理学上の標的に対する創薬の新しい道を切り開くものである。
【先行技術文献】
【非特許文献】
【０００５】
【非特許文献１】Ｂ．Ｎｏｌｔｉｎｇ  １９９９（Ｐｒｏｔｅｉｎ  Ｆｏｌｄｉｎｇ  Ｋｉｎｅｔｉｃｓ：Ｂｉｏｐｈｙｓｉｃａｌ  Ｍｅｔｈｏｄｓ，Ｓｐｒｉｎｇｅｒ，Ｂｅｒｌｉｎ）
【非特許文献２】Ｗ．Ａ．Ｅａｔｏｎ等、２０００（Ａｎｎｕ．Ｒｅｖ．Ｂｉｏｐｈｙｓ．Ｂｉｏｍｏｌ．Ｓｔｒｕｃｔ．２９，３２７）
【非特許文献３】Ｖ．ＤａｇｇｅｔｔおよびＡ．Ｆｅｒｓｈｔ  ２００３（Ｎａｔ．Ｒｅｖ．Ｍｏｌ．Ｃｅｌｌ  Ｂｉｏｌ．４，４９７）
【発明の概要】
【発明が解決しようとする課題】
【０００６】
本発明の目的は、添付の特許請求の範囲によって定義される。
より具体的には、本発明は、創薬手順のための標的として試験するのに適した標的タンパク質フォールディング中間体を特定する方法に関し、およびフォールディング中間体標的化に基づくインシリコ創薬のための方法に関する。
【０００７】
特に、本発明は、選択されたリガンドに結合されると安定化されるフォールディング中間体を特定することを可能にし、これは、例えば安定化されたフォールディング中間体を細胞から除去し、かくして、それらの活性を阻害する結果をもたらし得る。
【０００８】
別の実施形態では、本発明は、選択されたリガンドに結合されると、安定化され得る、場合により活性化され得る中間体の特定を可能にする。
【図面の簡単な説明】
【０００９】
【図１】図１はバイアス・ファンクショナル（ＢＦ）アプローチを用いて計算されたヒトＰｒＰＣのフォールディング経路におけるコンフォメーションの頻度ヒストグラムである。軌道（トラジェクトリー）が文書で説明される２つの集団変数に投影されている：ネイティブコンタクトＱの割合、およびネイティブ構造（ＰＤＢコード：１ＱＬＺ）からの二乗平均偏差（ＲＭＳＤ）。
【図２】図２はＰｒＰＣのフォールディング中間体で最も訪れる構造を表す３つの主要なクラスター（クラスターＣ１、Ｃ２およびＣ３と称される）である。
【図３】図３はプリオンタンパク質ＰｒＰのフォールディング中間体（ＦＩ−ＰｒＰ）において潜在的に創薬可能な領域である。
【発明を実施するための形態】
【００１０】
（発明の詳しい説明）
本明細書は、創薬手順のための標的として試験するのに適した標的タンパク質のフォールディング中間体を特定する方法を説明する。
前記方法は、以下に示す工程を含み、それらは電子計算によって実行される。
【００１１】
前記方法は、タンパク質のフォールディング経路を規定するイベントの時の配列をモデル化する工程を提供し、前記工程は、前記フォールディング経路に沿った１つまたは複数のタンパク質フォールディング中間状態の構造的特性および／またはエネルギー特性および／または物理化学的特性をモデル化および／または計算することを含む。このモデル化する工程は、例えば、前記フォールディング経路に沿ったタンパク質フォールディング中間状態の配列をモデル化することを含み得る。
【００１２】
次いで、前記方法は、特定特性（前記構造的特性およびエネルギー特性および／または物理化学的特性に含まれる）に基づき、モデル化されたフォールディング経路に沿って、少なくとも１つの候補タンパク質フォールディング中間体を特定する工程；および、選択特性（前記構造的特性およびエネルギー特性および／または物理化学的特性に含まれる）に基づき、前記少なくとも１つの候補タンパク質フォールディング中間体の中から、１つまたは複数の標的タンパク質フォールディング中間体を選択する工程を含む。
前記選択特性は、タンパク質フォールディング中間体の創薬可能性に関連する。
【００１３】
本明細書によれば「フォールディング経路」は、時間の経過に伴う、フォールディングされていないタンパク質からの天然のフォールディングへの移行を示し、即ちアミノ酸鎖がその熱力学的に安定な状態に達する方法を示す。
【００１４】
本発明の１つの実施形態では、本明細書で言及される「タンパク質フォールディング」および「フォールディング経路」の適用内容は、内因性のタンパク質合成の範囲が意図されるのであって、変性または再生プロセスとして、または配座異性体に、もしくは「短命のコンフォメーション」とは関係しない。
【００１５】
本明細書によれば「創薬可能性」は、薬物（例えば、小分子、他の任意の有機化合物、ペプチドまたは抗体）の結合を可能にし、かくして患者に潜在的な治療上の利益をもたらす、タンパク質またはタンパク質の任意の「コンフォーマー」の能力である。「コンフォーマー」は、同じポリペプチドのそれぞれの別のコンフォメーションである。コンフォーマーは、ポリペプチドのコンフォメーション異性および高分子の熱力学的状態の統計的特性を反映する。
【００１６】
上記したように、本方法は「候補タンパク質フォールディング中間体の特定」（本明細書中で「特定特性」と称するフォールディング中間体状態の特性の第１セットに基づく）および「標的タンパク質フォールディング中間体の選択」（本明細書中で「特定特性」と称するフォールディング中間体状態の特性の第２セットに基づく）の２つの異なる工程を提供する。
【００１７】
以下の説明部分にて「特定特性」および「選択特性」のいくつかの例を示す。「特定特性」および「選択特性」が別の物であり得ること、本発明の好ましい実施形態では実際には異なるものであることが明らかとなるであろう。
【００１８】
本方法の１つの実施形態によれば、前記特定特性は、タンパク質フォールディング中間体のエネルギー特性および／または物理化学的特性を含む。
【００１９】
この実施形態の実行オプションによれば、特定特性は、タンパク質の中間状態と天然状態との間の自由エネルギー障壁、または中間状態と天然状態に向かう次の中間体との間の自由エネルギー障壁を含む。この場合、特定する工程は、前記中間体と天然状態または天然状態に向かう次の中間体との間の自由エネルギー障壁が自由エネルギー閾値よりも大きいことを特徴とする中間体を、「候補タンパク質フォールディング中間体」として特定することを含む。
【００２０】
実行の例において、自由エネルギーの閾値は７．５ｋＪ／ｍｏｌである。
【００２１】
この実施形態の別の実行オプションによれば、特定特性は、中間体からネイティブ状態への移行の速度の逆数（ｉｎｖｅｒｓｅ  ｒａｔｅ  ｏｆ  ｔｒａｎｓｉｔｉｏｎ）またはフォールディング経路に沿った次の中間体への移行の速度の逆数として規定される中間体の寿命を含む。
【００２２】
この場合、本方法は、中間体の前記寿命を推定する更なる工程を含み、特定する工程が、最小寿命閾値よりも長い寿命を有する中間体を「候補タンパク質フォールディング中間体」として特定することを含む。
【００２３】
実行の例において、最小寿命閾値は、生理学的条件におけるタンパク質半減期の少なくとも３倍であってよい。
【００２４】
本方法の１つの実施形態によれば、少なくとも１つの候補タンパク質フォールディング中間体を特定する工程は、準安定状態を特定することを含む。
【００２５】
ここで、第２特性、即ち「選択特性」を考慮して、次に詳細を示す。
本方法の１つ実施形態によれば、選択特性は、検討される候補タンパク質フォールディング中間体の創薬可能性に関連する構造特性を含む。
【００２６】
本方法の実施形態によれば、選択特性は、タンパク質ホットスポット特定のためのスコアリングパラメータを含む。
【００２７】
本明細書において「ホットスポット」は、製薬研究で一般的に使用される用語と一致して、リガンド結合の傾向が高く、したがって創薬にとって潜在的に重要な標的タンパク質上の部位である。
【００２８】
本方法の１つの実施形態によれば、選択する工程は、ネイティブ状態で存在しない選択特性を有する中間体を標的タンパク質フォールディング中間体として選択することをさらに含む。
【００２９】
実行オプションによれば、選択する工程は、ネイティブ状態で存在しない創薬可能なポケットを有する中間体を標的タンパク質フォールディング中間体として選択することをさらに含む。
【００３０】
本明細書において用語「ポケット」は、製薬研究の分野で一般的に使用される用語と一致して、小分子が結合するのに適したタンパク質の三次構造の空間領域を示す。
【００３１】
特に、創薬可能ポケットの概念は、薬物様分子に結合することができ、かくしてタンパク質の生物学的機能の調節を得ることができる、疾患に関連したタンパク質標的の特異的結合部位を示す。
【００３２】
結合部位が３Ｄ構造（例えば、リガンド−タンパク質複合体）または他の実験データ（例えば、薬剤耐性変異）から分からない場合、計算手法を実施して可能性のある位置を示唆することができる。
【００３３】
この説明の以下の部分にて、結合部位／ポケットを特徴づけるために説明した方法に使用される幾つかの特性および／またはパラメータおよび／またはグローバルポケットの説明（およびそれぞれの例示的な値）を述べる。
【００３４】
別の実行オプションによれば、選択する工程は、ネイティブ状態で存在するポケットからの二乗平均偏差（ＲＭＳＤ）閾値よりも大きい二乗平均偏差を特徴とする創薬可能ポケットを有する中間体を、標的タンパク質フォールディング中間体として選択することを更に含む。
【００３５】
実行の例において、前記二乗平均偏差の閾値は、２オングストローム（Å）と等しいか、または２オングストローム（Å）よりも大きい。
【００３６】
本方法の１つの実施形態によれば、選択特性は、検討される候補タンパク質フォールディング中間体における創薬可能ポケットの存在を含み、前記創薬可能ポケットはポケットパラメータに関して規定される。
【００３７】
本方法の１つの実施形態によれば、選択する工程は、結合ポケットの特定、結合ポケットの特徴付け、結合ポケットの創薬可能性予測の工程を含む。
【００３８】
この場合、選択する工程は、特定された候補タンパク質フォールディング中間体の中から、前記ポケットパラメータとそれぞれの閾値との比較に基づいて１つまたは複数の標的タンパク質フォールディング中間体を選択することを含む。
【００３９】
この実施形態の異なる実行オプションによれば、上記したポケットパラメータは、寸法パラメータ、および／または形状パラメータ、および／または位置パラメータ、および／または疎水性特性に対する親水性特性の比を含む。
【００４０】
特に、寸法ポケットパラメータは、ポケットの体積および／またはポケットの深さおよび／またはポケットの封入および／または露出を含み得る。露出および封入の特性は、その部位が溶媒に対してどれだけ開いているかについての異なる尺度を提供する。
【００４１】
実行の例において、ポケット体積の閾値は少なくとも３５０Å３である。
【００４２】
実行の例において、ポケット露出の閾値は０．４９未満であり、ポケット封入の閾値は少なくとも０．７８である。
【００４３】
実行の例において、ポケット深さの閾値は少なくとも１３Åである。
【００４４】
選択特性の中の、タンパク質のホットスポット特定のためのスコアリングパラメータは、これまでに言及している。
【００４５】
本特徴に関して、本方法の別の実施形態は、そのようなスコアリングパラメータが「サイトスコア」および／または「Ｄスコア」および／または「ドラッグスコア」および／またはポケットバランスを含むことを提供する。
【００４６】
これらのパラメータは、タンパク質およびタンパク質中間体のモデル化および特性評価の分野でそれ自体公知であり、タンパク質のネイティブ状態またはタンパク質のフォールディング中間体の「創薬可能性」を評価するのに適した、種々の特性に関連する値の組合せに基づく。
【００４７】
実際、そのようなスコアリングパラメータは、既知の評価ソフトウェアパッケージに由来する。
【００４８】
例えば、ＳｉｔｅＭａｐ（Ｈａｌｇｒｅｎ  ＴＡ（２００９）“Ｉｄｅｎｔｉｆｙｉｎｇ  ａｎｄ  ｃｈａｒａｃｔｅｒｉｚｉｎｇ  ｂｉｎｄｉｎｇ  ｓｉｔｅｓ  ａｎｄ  ａｓｓｅｓｓｉｎｇ  ｄｒｕｇｇａｂｉｌｉｔｙ”，Ｊ．Ｃｈｅｍ．Ｉｎｆ．Ｍｏｄｅｌ  ４９：３７７−３８９）は、部位のスコア（サイトスコア）および創薬可能性スコア（Ｄスコア）を、３つの単一の記述：結合ポケットのサイズ、その封入（ｅｎｃｌｏｓｕｒｅ）およびその親水性に関するペナルティーのみの線形の組合せ（ｌｉｎｅｒ  ｃｏｍｂｉｎａｔｉｏｎ）を通じて予測する。
【００４９】
別の例は、ＤｏＧサイトスコア（Ａ．Ｖｏｌｋａｍｅｒ，Ｄ．Ｋｕｈｎ，Ｔ．Ｇｒｏｍｂａｃｈｅｒ，Ｆ．Ｒｉｐｐｍａｎｎ，Ｍ．Ｒａｒｅｙ，“Ｃｏｍｂｉｎｉｎｇ  ｇｌｏｂａｌ  ａｎｄ  ｌｏｃａｌ  ｍｅａｓｕｒｅｓ  ｆｏｒ  ｓｔｒｕｃｔｕｒｅ−ｂａｓｅｄ  ｄｒｕｇｇａｂｉｌｉｔｙ  ｐｒｅｄｉｃｔｉｏｎｓ”Ｊ．Ｃｈｅｍ．Ｉｎｆ．Ｍｏｄｅｌ．２０１２，５２，３６０−３７）であり、これもまた０から１の範囲の創薬可能性スコア（ドラッグスコア）を生成する。
【００５０】
明らかに、本方法の他の実施形態では、他の既知のスコアリングパラメータを使用することができ、および／または新たなスコアリングパラメータを定義して採用することができる。
【００５１】
この場合もまた、選択はスコアリングパラメータとそれぞれの閾値との比較に基づく。
【００５２】
本方法のいくつかの実施形態では、スコアリングパラメータの閾値は、以下のように選択される。
実行の例において、ポケットのサイトスコアの閾値は０．８である。
実行の例において、ポケットのＤスコアの閾値は０．９８である。
実行の例において、ポケットのドラッグスコアの閾値は０．５である。
実行の例において、ポケットバランスの閾値は１．０である。
【００５３】
以上で示したように、本方法は、候補タンパク質フォールディング中間体の特定および標的タンパク質フォールディング中間体の選択の基礎として使用される特性を提供する。
【００５４】
さらに、本方法はまた、上記した特定および選択工程の基準を提供する。これらの基準は、例えば、特定および／または選択について選択された特性に関連するパラメータおよび／または値とそれぞれの閾値との比較に基づく。
【００５５】
閾値の例示的な値は、上記の説明で提供した。それにもかかわらず、当業者は、閾値がタンパク質の種類または他の要件に従ってケースバイケースで選択することができるため、本方法が上述した例示的な値に限定されないことは理解できる。
【００５６】
本方法の１つの実施形態によれば、タンパク質フォールディング経路の間の配列をモデル化する工程は、分子力学（ＭＭ）または量子力学分子力学（ＱＭ−ＭＭ）アプローチに基づく計算的シミュレーションによって実行される。
【００５７】
本実施形態の異なる可能な実行オプションによれば、上記した計算的シミュレーションは、ラチェットおよびパウルの分子動力学に基づく計算的シミュレーションによって、および／またはバイアス関数計算的アプローチによって、および／またはセルフ・コンシステント・パス・サンプリング計算的アプローチによって実施される。
【００５８】
当業者は、上記したアルゴリズムおよび計算的アプローチが本開示内容を明確にするために提供された単なる例であると容易に理解でき、また、本方法が本明細書で明示的に言及されていない同じ種類の結果を与える他のアルゴリズムおよび計算的アプローチを使用して実行できることを容易に理解できる。
【００５９】
タンパク質フォールディング経路の時間エボリューションをモデル化する上記した工程を実行するために効果的に使用できる例示的なアルゴリズムの詳細は、科学論文“Ｓ．Ｏｒｉｏｌｉ，Ｓ．ａ  ＢｅｃｃａｒａおよびＰ．Ｆａｃｃｉｏｌｉ，Ｊ．Ｃｈｅｍ．Ｐｈｙｓ．１４７，０６４１０８（２０１７）”；“Ｃ．Ｃａｍｉｌｌｏｎｉ，Ｒ．Ａ．ＢｒｏｇｌｉａおよびＧ．Ｔｉａｎａ，Ｊ．Ｃｈｅｍ．Ｐｈｙｓ．１３４，０４５１０５（２０１１）”；“Ｓ．ａ  Ｂｅｃｃａｒａ，Ｌ．ＦａｎｔおよびＰ．Ｆａｃｃｉｏｌｉ，Ｐｈｙｓ．Ｒｅｖ．Ｌｅｔｔ．１１４，０９８１０３（２０１５）”に記載されている。
【００６０】
本方法の他の可能な実施形態によれば、タンパク質フォールディング経路の時の配列をモデル化する工程は、タンパク質フォールディング経路の再構築の再構成またはフォールディング中間体の特定をもたらす任意の他のインシリコアプローチに基づく計算的シミュレーションによって実行される。
【００６１】
本方法の他の可能な実施形態によれば、タンパク質フォールディング経路の時の配列をモデル化する工程は、タンパク質フォールディング経路の再構築またはフォールディング中間体の特定をもたらす任意の実験的アプローチによって実行される。
【００６２】
本発明に含まれるフォールディング中間体の標的化に基づくインシリコ創薬のための方法を、以下に説明する。
【００６３】
そのような方法は、上記した実施形態のいずれか１つに従って、インシリコ創薬手順の標的として試験されるのに適した標的タンパク質フォールディング中間体を特定するための方法を実施する工程を含む。
【００６４】
これに基づき、インシリコ創薬の方法は、選択された標的タンパク質フォールディング中間体に対してインシリコ創薬を実行することを提供する。
【００６５】
本方法の実施形態によれば、創薬可能なポケットまたはホットスポットが特定されている、選択された各標的タンパク質フォールディング中間体に対してインシリコ創薬を実施する工程は、標的タンパク質フォールディング中間体で特定された１つまたは複数の創薬可能なポケットおよび／またはホットスポットの特性に基づいて潜在的なリガンドを特定する工程であって、前記１つまたは複数の創薬可能なポケットおよび／またはホットスポットは可能な結合部位と見なされる、工程；次いで、インシリコシミュレーションを通じて、特定されたリガンドのそれぞれと特定された結合部位のそれぞれとの相互作用をモデル化する工程；最後に上記したモデル化に基づいてリガンドを選択する工程、を含む。
【００６６】
本方法の異なる実行オプションにおいて、原則として、インシリコ創薬のための任意の既知の手順を用いることができる。
【００６７】
本開示はまた、コンピュータによって実行されると、コンピュータに、上記の例示した実施形態のいずれかに記載されるように、標的タンパク質フォールディング中間体を特定するための方法を実行させる、少なくとも１つのプログラム指示を含む、コンピュータプログラムを包含する。
【００６８】
本開示はさらに、コンピュータによって実行されると、コンピュータに、上記の例示された実施形態のいずれかに記載されるようなインシリコ創薬のための方法を実行させる、少なくとも１つのプログラム命令を含むコンピュータプログラムを包含する。
【００６９】
自明なように、用語「コンピュータ」は、本詳細な説明の文脈において、その最も広い意味が意図されるものであり、スーパーコンピュータおよび／またはコンピュータクラスタ、または他のタイプの既知の電子プロセッサを含む。
【００７０】
本開示はまた、前記コンピュータプログラムまたは複数のプログラムを運搬するキャリアおよび／またはメディアおよび／またはサポートを含む。
【００７１】
以下の説明部分では、本発明の例示的な非限定的な実施形態についての更なる説明を提供する。
以下に示すフェーズは、本方法を実行する間に当業者によって実行される実際の動作の概要を示す。
【００７２】
（ｉ）標的の特定
標的の特定および選択タスクは上記で詳細に説明されている。
【００７３】
（ｉｉ）創薬可能なポケットの特定
選択された候補タンパク質フォールディング中間体のインシリコ・スカウト分析は、選択されたタンパク質フォールディング中間体に固有であり、前記タンパク質のネイティブ形態には存在しない、溶媒に露出された創薬可能なポケットを有する標的タンパク質フォールディング中間体の選択をもたらす。
【００７４】
（ｉｉｉ  ａ）小分子の特定
本発明による実施形態では、選択する工程は、最も高くランク付けされたポケット、即ち最も高くランク付けされた標的タンパク質フォールディング中間体を選択することを含み、それ若しくはそれらは、次いで、潜在的な小さいリガンドを特定するための仮想の薬物スクリーニングキャンペーンを実施するために使用される。研究分野／標的に応じて、アドホック仮想の化学ライブラリ（ａｄ−ｈｏｃ  ｖｉｒｔｕａｌ  ｃｈｅｍｉｃａｌ  ｌｉｂｒａｒｉｅｓ）を設計し、構築する。最も有望な候補を選択するために、技術水準で利用可能な計算的アプローチ／ツール、例えばドッキングベースの仮想のスクリーニング、リガンド親和性、リガンド効率（ＬＥ）およびリガンド脂溶性効率（ＬＬＥ）の評価、汎アッセイ干渉化合物（Ｐａｎ−Ａｓｓａｙ  Ｉｎｔｅｒｆｅｒｅｎｃｅ  Ｃｏｍｐｏｕｎｄｓ）および潜在的な凝集体の除去、物理化学的化合物特性およびＡＤＭＥＴ化合物の特性の分析、仮想化合物の類似性およびクラスタリング分析が適用される。
【００７５】
本明細書で説明したアプローチおよび特許請求するアプローチは、後に、より費用がかかり時間を消費するインビトロ実験で試験される、最も有望な候補を効率的な様式で選択することを可能にする。
【００７６】
（ｉｉｉ  ｂ）その他の分子の特定
本発明による他の実施形態において、記述の方法に従って特定された化合物には、抗体（および抗体誘導体）、毒素、核酸が含まれてよく、そのような分子はまた、内因性代謝物によって代表され得る。
【００７７】
（ｉｖ）細胞ベースのアッセイ
例として、仮想のスクリーニングによって予測されたリガンドは、安定的にトランスフェクトされた異種の細胞システムにおいて、用量依存的な様式で標的タンパク質の発現を翻訳後に減少させるそれらの能力を試験することによって検証される。
【００７８】
原則として、十分に高い親和性でもってタンパク質のフォールディング中間体に結合する任意の化合物は、そのエネルギー状態を低下させ、その構造を安定させ、かくしてその半減期を延長し得る。細胞の文脈では、そのような安定化効果は、細胞のフォールディング品質管理機構によって認識される異常に長寿命のフォールディング中間体を生成し、翻訳後修飾の正しい追加を妨げ、および／またはその分解（例えば、プロテアソーム関連の分解および／またはオートファジー）をもたらし得る。この原則に従い、特定されたフォールディング中間体のインシリコで予測された候補リガンドを、標準的な異種の細胞システム（例えば、ＨＥＫ２９３、ＣＨＯ、ＳＨ−ＳＹ５ＹまたはＨｅＬａ細胞）において試験して、標準的な生化学的手法（例えば、ウエスタンブロッティング）によってアッセイされる用量依存的な方法での標的タンパク質（例えば、適切な標的フォールディング中間体が特定されたタンパク質）の全体的な発現を低下させる、または完全に抑制することができる化合物を選択する。標的タンパク質が利用可能な細胞系で内因的に発現されない場合、前記標的タンパク質の発現を得るために、発現ベクターを設計して、細胞を安定的にトランスフェクトする。
【００７９】
（実施例）
プリオン病は、内因性グリコシルホスファチジルイノシトール（ＧＰＩ）に固定された細胞表面の糖タンパク質であるＰｒＰＣが、罹患者の中枢神経系に蓄積する「スクレイピー型のＰｒＰ」（またはＰｒＰＳｃ）と称される誤ったフォールディングアイソフォームへコンフォメーション転換することと関連する。ＰｒＰＳｃは、検出可能な情報をコードする核酸を欠く感染性のタンパク質（プリオン）であり、それはＰｒＰＣに直接結合して、そのコンフォメーション再配列をトリガーすることによって新らたなＰｒＰＳｃ分子を複製する。多くの証拠は、プリオンの生物学的特性を指定する必要な情報がＰｒＰＳｃの構造に排他的にコードされていること、ならびに異なるＰｒＰＳｃ配座異性体がさまざまな形態のプリオン病の根底にある神経病理学的および臨床的特徴を含む異なる株の特性を生成し得ることを示す。ＰｒＰ遺伝子の疾患関連変異は、ＰｒＰＣの凝集性で病原性のＰｒＰＳｃ様形態への誤ったフォールディングに有利に働くと考えられる。これらの特有の特徴にもかかわらず、遺伝的研究、生物物理学的研究および生化学的研究から生じた証拠の増加は、プリオン病で機能する病原性メカニズムが他のいくつかの障害で発生する神経変性経路の根源にある可能性を示唆する。大きく増加する一連の証拠は、ＰｒＰＣの発現および／または活性を調節することができる化合物が、幾つかの神経変性疾患に完全に新しい治療的展望を提供する可能性があるという結論に向けさせる。
【００８０】
本明細書に記載の方法は、ＰｒＰＣのフォールディング中間体を標的とする小分子を特定するために適用され、従ってＰｒＰＣの発現を翻訳後に阻害し得る潜在的な可能性がある。
【００８１】
明示的な溶媒中でのＢＦ手順を用い、Ｇｒｏｍａｃｓ４．６．５を使用したＴＩＰ３Ｐ溶媒モデルを用いたＡｍｂｅｒｆｆ９９ＳＢ−ＩＬＤＮ力場を使用して、ＰｒＰのフォールディング経路を計算した。前記ＢＦアプローチは、Ｐｌｕｍｅｄ２．０．２プラグインに統合されている。サーマル・アンフォールディングＭＤシミュレーションによって、エネルギーが最小化されたＰｒＰネイティブ構造から開始して得られた、１２個の独立したアンフォールドされたコンフォメーションを検討した。１２個の初期のアンフォールドされた条件のそれぞれについて、ｒＭＤによって生成された２０個のｒＭＤ試行トラジェクトリー（軌道）すべてを、それらのＢＦファンクショナルを評価することによってスコア付けした。３つのトラジェクトリーは、フォールディング経路がいずれもネイティブ状態に収束しなかったため、破棄した。このスキームを使用し、Ｓ．ａ  Ｂｅｃｃａｒａ、Ｌ．ＦａｎｔおよびＰ．Ｆａｃｃｉｏｌｉ、Ｐｈｙｓ．Ｒｅｖ．Ｌｅｔｔ．１１４，０９８１０３（２０１５）に詳述されているようにＢＦ手順に従って、最小バイアス・トラジェクトリー（ＬＢＴ）を選択することにより、９個の独立したフォールディングトラジェクトリーを収集した。
【００８２】
フォールディング中間体の候補を探すために、ラチェット・ポール分子動力学（Ｓ．ａ  Ｂｅｃｃａｒａ、Ｌ．ＦａｎｔおよびＰ．Ｆａｃｃｉｏｌｉ、Ｐｈｙｓ．Ｒｅｖ．Ｌｅｔｔ．１１４，０９８１０３（２０１５）に詳述される）と称されるアルゴリズムを使用して計算されたフォールディングトラジェクトリーを用いて、ネイティブコンタクトの集団変数Ｑの割合とネイティブ構造からのＲＭＳＤとの２次元頻度ヒストグラムを計算機で計算した。タンパク質構成の変数Ｑは、７．５オングストローム未満の相対距離にある前記構成中の原子ペアの数を、前記ネイティブ構成中の７．５オングストローム未満の相対距離にある原子ペアの数で割ることによって得た。
【００８３】
０．５ｎｍ＜ＲＭＳＤ＜０．９ｎｍおよび０．６５＜Ｑ＜０．８５での経路上のフォールディング中間体の存在が観察された（図１、丸で囲んだ部分を参照）。得られたフォールディング経路を説明するコンフォメーションを抽出するために、ＬＢＴの２段階フィルタリングを適用した：
（ｉ）  ＬＢＴによって調べられたコンフォメーションの各セットについて、図１のプロットの密度の高い領域に存在するコンフォメーションのみを保持した。このタスクを実行するために、特定のコンフォメーションを観察する確率についての負の対数（ＱおよびＲＭＳＤで定義）を計算し、そして３．５ｋＢＴを超える高いグローバルミニマム（長寿命な領域）に対する安定の偏差を有するすべてのポイントを除外した。
（ｉｉ）  関心のある領域のみに焦点を合わせるために、コンフォメーションを０．５ｎｍ＜ＲＭＳＤ＜０．９ｎｍおよび０．６５＜Ｑ＜０．８５を示すコンフォメーションのみを保持することにより更にフィルタリングした。
【００８４】
中間コンフォメーションのクラスタリングは、ｋ−ｍｅａｎｓ［ＲＳｔｕｄｉｏ：Ｉｎｔｅｇｒａｔｅｄ  Ｄｅｖｅｌｏｐｍｅｎｔ  ｆｏｒ  Ｒ．ＲＳｔｕｄｉｏ、Ｉｎｃ．、Ｂｏｓｔｏｎ、ＭＡ］を用いて実施した。クラスターの数は「エルボー法（Ｅｌｂｏｗ  Ｍｅｔｈｏｄ）」を用いて選択した。コンタクトマップ距離はクラスタリングメトリックとして用いた。クラスタリング手順により、クラスターＣ１、Ｃ２およびＣ３と称する３つの異なる母集団グループが生成された（図２を参照）。そのようなクラスター（Ｃ２およびＣ３）の中で最も集合が多いものからサンプリングされたコンフォメーションは、潜在的な結合部位を提供する変位したヘリックス−１を示す。３つのクラスター（Ｃ１、Ｃ２およびＣ２）のそれぞれで単一の代表的なコンフォメーションを特定するために、はじめに、我々はグループ内の平均コンタクトマップを計算し、次いで、そのコンタクトマップとそのクラスター内の平均コンタクトマップとの間の距離が最小となるようなそのグループ内の構造を特定した。
【００８５】
ＦＩ−ＰｒＰの潜在的なリガンドを特定するために、Ｃ３の代表的なエレメントに存在し、かつＰｒＰＣの天然型には存在しない固有の結合部位に焦点を当てたインシリコモデル化および仮想薬物スクリーニングを実施した（図３）。この部位でのインシリコ薬物スクリーニングは、以下の手順に従って実施した：
１）  我々は、クラスターＣ３の代表的なコンフォメーションから出発して、３００Ｋでの明示的な溶媒モデルにて５０ｎｓの分子動力学（ＭＤ）を実行した。このようなシミュレーションでは、側鎖の配置のみをサンプリングするために、バックボーン原子の相対位置を固定した。
２）  ＭＤ軌道が２つの主要なポケットの存在を示唆したため、このようなＭＤ軌道が通ったコンフォメーションは２つのグループに構造的にクラスター化された。我々は、各グループから無作為に１０個のコンフォメーションを抽出した。
３）  我々は、創薬可能性が最も高い部位を含むものを特定するために、サイトマップを使用して、結果として得られた２０個のコンフォメーションを分析した。
４）  前の工程で特定されたコンフォメーションを、約２５０，０００個の小分子を含むＡｓｉｎｅｘ商用ライブラリを使用して、薬物スクリーニングのターゲットとして使用した。
５）  このような仮想スクリーニングの結果は、予測された薬力学および薬物動態に従ってフィルタリングされ、２７５個の仮想ヒットからなる最終プールとなった。我々は、本実施例で、結合親和性が最も高いと予測されるこのグループの候補薬の化学構造を報告する：
【化１】
2021531607.tif 000003
式１
【００８６】
原則として、十分な親和性でもってタンパク質のフォールディング中間体に結合する化合物は、そのエネルギー状態を低下させ、その構造を安定させ、かくしてその半減期を延長させる可能性があります。細胞の文脈では、ＰｒＰＣのように小胞体（ＥＲ）の内腔で直接合成されたタンパク質の場合、そのような安定化効果は、ＥＲ品質管理（ＥＲＱＣ）機構によって認識され得る異常に長寿命のフォールディング中間体を生成する可能性があり、翻訳後修飾の正しい追加を起こりそうであり、またおそらく分解（例えば、ＥＲ関連分解および／またはオートファジー）につながる。この原理に従って、提案されたスクリーニングプロトコルによって特定されたＦＩ−ＰｒＰの推定リガンドは、安定的にトランスフェクトされたＨＥＫ２９３細胞にて発現される野生型（ＷＴ）ＰｒＰＣの分解を誘導および／または翻訳後プロセシングを変更する能力を試験できる。まず、細胞を、各分子の濃度を上げながら（０．０１〜５０μＭを示す）インキュベートする。次に、得られたＰｒＰＣ発現レベルをウエスタンブロッティングで分析する。親和性が高い小分子は、ＰｒＰ細胞発現の用量依存的な減少を誘発すると予想される。
【００８７】
上述のとおり、記載した方法は、その特徴により、上記したように、本発明の範囲を達成することを可能にする。
【００８８】
特に、この方法は、独自の方法で、フォールディング中間体の結合ポケットを特定することを可能にし（既知の解決策では特定できない）、これは、薬物の潜在的な標的の特定に関連する明らかな利点をもたらす。
【図１】
2021531607.tif 000004
【図２】
2021531607.tif 000005
【図３】
2021531607.tif 000006
【国際調査報告】
2021531607.tif 000007
2021531607.tif 000008
2021531607.tif 000009